(57)【要約】【課題】大型表示が可能な携帯端末システムを提供する。更に、表示部に二次電池を実装して動作時間の延長と、無線通信機能の実装により携帯端末本体と表示部を分離して視聴可能な構成にする。【解決手段】携帯端末の表示部を着脱可能な構造にして、更に大型表示部を装着可能な構成にする。着脱可能な表示部に二次電池を実装し、本体と表示部の電力供給を独立させることによりシステムの動作時間の改善を図る。また、表示部に無線通信機能を付加し、携帯端末本体と表示部を分離して動作させる。【選択図】図２
2005260533.tif 000002
【特許請求の範囲】
【請求項１】
少なくともカメラとメモリカードスロットを備えており、操作部を有する主ユニットと、表示部を有する副ユニットと、前記主ユニットと副ユニットを一体収納、もしくは前記主ユニットと副ユニットを開閉自在に結合するヒンジで一体構造とした携帯端末において、前記副ユニットの表示部を着脱可能な構造にし、前記表示部に代えて更に前記表示部よりも大型の表示部を着脱可能にしたことを特徴とする携帯端末を用いた表示システム。
【請求項２】
前記大型の表示部は、前記携帯端末の表示部に勘合するアダプタブロックと、表示ブロックで構成したことを特徴とする前記請求項１に記載の携帯端末を用いた表示システム。
【請求項３】
前記大型の表示部のアダプタブロックに二次電池を装着したことを特徴とする前記請求項２に記載の携帯端末を用いた表示システム。
【請求項４】
前記携帯端末の本体に第１の無線通信ブロックを装着し、前記大型の表示部のアダプタブロックに第２の無線通信ブロックを装着し、前記第１および第２の無線通信ブロック間を無線接続することを特徴とする請求項２または請求項３に記載の携帯端末を用いた表示システム。
【請求項５】
前記第１の無線ブロックと通信可能な第３の無線ブロックを例えば外部の映像表示装置に装着しておき、前記携帯端末の本体に実装した第１の無線通信ブロックと前記第３の無線通信ブロックの間を無線接続するように構成したことを特徴とする前記請求項４に記載の携帯端末を用いた表示システム。
【発明の詳細な説明】
【技術分野】
【０００１】
本発明は、携帯電話やデジタルカメラ、デジタルビデオカメラ等の携帯端末を用いた表示システムに関するものである。
【背景技術】
【０００２】
携帯端末、特に携帯電話機は通話機能のみでなく、インターネット等のブラウザ機能、電子メール機能、音声・画像の記録や再生機能、デジタルカメラ機能等の様々な機能が搭載され、活用されている。
【０００３】
特に、音声・画像の記録や再生機能の簡便化、カメラの高性能化、カメラやディスプレイの高画質化、メモリカードの大容量化等が図られている。
【０００４】
カメラにおいては、１００万〜数１００万画素のものが標準的に搭載され、高画質の撮影が可能となっている。外部接続メモリとしてはＳＤ（Ｓｅｃｕｒｅ  Ｄｉｇｉｔａｌ）メモリカードのスロットが設けられて、容量は１２８ＭＢ、２５６ＭＢ、５１２ＭＢ、１ＧＢと大容量化が図られ、高画質のコンテンツを長時間記録・再生できる環境が提供され、携帯端末上で簡便に視聴できるようになってきた。
【０００５】
ところが、携帯電話としての使い勝手を考慮すると大型化には限度があり、ディスプレイのサイズとしてはＱＶＧＡ（Ｑｕａｒｔｅｒ  Ｖｉｄｅｏ  Ｇｒａｐｈｉｃｓ  Ａｒｒａｙ：３２０×２４０ドット）が一般化する傾向にある。
【０００６】
このような高品質画像に対応し、更に視聴効果を高めるためには、ディスプレイ性能の改善が必須要件とされ、課題となっている。
【０００７】
そこで、端末形状を大きくすることなく、表示画面の大型化に対応するための取組みとして、特許文献１が提案されている。
【０００８】
特許文献１では、文字が読み易く且つ入力も容易な「通信機器の表示システム」を開示している。この特許文献１では、縦長の液晶表示部を有する通信機器の表示システムに、通信機器のユニットとして、液晶表示部を縦長から横長に、又はこの逆に回転させる表示ユニット部と、この表示ユニット部の回転に伴って縦長から横長に、又はこの逆に液晶表示部の表示を切換る表示切換部とを備えた構成となっており、文字が読み易く且つ入力も容易にするために、表示画面（表示ユニット）を回転することにより、表示画面を縦長から横長に表示変換するようにした技術が開示されている。
【特許文献１】特開２００１−１５６８９３号公報（通信機器の表示システム及び方法）
【発明の開示】
【発明が解決しようとする課題】
【０００９】
しかしながら、前記従来の構成では表示部を機械的に回転させ、縦長から横長の画面へと変換したに過ぎず、絶対的な表示面積の拡大には至らず、約３０％（＝３２０／２４０ドット）程度の改善に留まっている。
【課題を解決するための手段】
【００１０】
前記従来の課題を解決するために、第１の発明の携帯端末を用いた表示システムは、少なくともカメラとメモリカードスロットを備え、操作部を有する主ユニットと、表示部を有する副ユニットと、前記主ユニットと副ユニットを開閉自在に結合するヒンジで構成し、前記副ユニットの表示部を着脱可能な構造にし、着脱部をアダプタ構造にして前記表示部よりも大型の表示部を着脱可能にしたものである。
【００１１】
第２の発明の携帯端末を用いた表示システムは、前記大型の表示部のアダプタブロックに二次電池を装着したものである。
【００１２】
第３の発明の携帯端末を用いた表示システムは、前記携帯端末の本体に第１の無線通信ブロックを装着し、前記大型の表示部のアダプタブロックに第２の無線通信ブロックを装着し、前記第１および第２の無線通信ブロック間を無線接続したものである。
【００１３】
第４の発明の携帯端末を用いた表示システムは、前記第１の無線ブロックと通信可能な第３の無線ブロックを例えば外部の映像表示装置に装着しておき、前記携帯端末の本体に実装した第１の無線通信ブロックと前記第３の無線通信ブロックの間を無線接続したものである。
【発明の効果】
【００１４】
本発明の携帯端末の表示システムによれば、携帯端末の表示部のみを着脱可能な構成とすることで、携帯端末の基本形状を変更することなく大型表示部が構成可能となる。
【００１５】
また、取替える大型の表示部側に独立に二次電池を装着することにより、携帯端末本体から表示部への給電が不要となるために、携帯端末の連続動作時間が延長できる。
【００１６】
さらに、携帯端末の本体側と取替える大型表示部側に無線通信機能を装着し、大型表示部を複数用意することにより、１台の携帯端末から複数の大型表示部への配信が可能となる。
【００１７】
大型表示部側に代えて、外部の映像表示装置（例えば、デジタルテレビ等）を利用することにより、更に大型の表示が可能で同時に複数の人が視聴可能となる。
【発明を実施するための最良の形態】
【００１８】
以下本発明の実施の形態について、図面を参照しながら説明する。
【００１９】
（実施の形態１）
図１は、本発明の実施の形態１における携帯端末を用いた表示システムで、特に表示部の着脱構造を示すもので、基本的な携帯端末の構造を示した概観図である。
【００２０】
図１において、１は主ユニット、２は副ユニット、３は主ユニット１と副ユニット２を結合するヒンジである。主ユニット１の外装には操作部１１、マイクロホン１２、カメラ４、拡張用のメモリスロット５が取り付けられている。副ユニット２の外装には表示部２０、通話用スピーカ２６が取り付けられている。前記副ユニット２の表示部２０を着脱可能な構造とし、アダプタブロック２３に表示部２０が挿入された状態を基本形態としている。
【００２１】
図２は、アダプタブロック２３に大型の表示部２１を実装したときの概観図である。更に図３は、大型の表示部２１の構造を示す概観図で、表示ブロック２２とアダプタブロック２３で構成されている。
【００２２】
ここで、アダプタブロック２３の接続および固定方法については、本発明の主たる目的ではないので、詳細の説明は省略する。
【００２３】
（実施の形態２）
図４は、本発明の実施の形態２における携帯端末を用いた表示システムで、特に大型の表示部２１に二次電池２４を実装した構造を示す概観図である。
【００２４】
本発明に関わる主な機能は、大型の表示部２１に二次電池２４を実装したことであり、その他の構成は実施の形態１と同じであるので、説明は省略する。
【００２５】
（実施の形態３）
図５は、本発明の実施の形態３における携帯端末を用いた表示システムで、特に二次電池２４と無線通信ブロック２５を大型の表示部２１へ実装した場合の構造を示す概観図である。
【００２６】
本発明に関わる主な機能は、大型の表示部２１に二次電池２４および無線通信ブロック２５を実装したことであり、その他の構成は実施の形態１と同じであるので、説明は省略する。
【００２７】
図６は、本発明の実施の形態３における携帯端末で、特に携帯端末本体と大型の表示部２１を分離して利用したときの形態を示す概観図である。
【００２８】
（実施の形態４）
図７は、本発明の実施の形態４における携帯端末を用いた表示システムで、特に携帯端末と外部の表示機器３０を無線接続したときの形態を示す概観図である。
【００２９】
本発明に関わる主な機能は、携帯端末の表示部とは異なる外部の表示機器３０を用いて表示することであり、その他の構成は実施の形態１と同じであるので、説明は省略する。
【産業上の利用可能性】
【００３０】
本発明にかかる表示システムは、折り畳み型携帯電話機に限らず、表示機能を有する一体型携帯電話機、デジタルカメラ、デジタルビデオカメラ等の携帯端末にも有効な手段である。
【図面の簡単な説明】
【００３１】
【図１】本発明の実施の形態１における携帯端末で、特に表示部の着脱構造を示す概観図
【図２】本発明の実施の形態１における携帯端末で、特に大型の表示部を実装したときの概観図
【図３】本発明の実施の形態１における携帯端末で、特に大型の表示部構造を示す概観図
【図４】本発明の実施の形態２における携帯端末で、特に二次電池を大型の表示部へ実装したときの構造を示す概観図
【図５】本発明の実施の形態３における携帯端末で、特に二次電池と無線通信ブロックを大型の表示部へ実装したときの構造を示す概観図
【図６】本発明の実施の形態３における携帯端末で、特に携帯端末本体と大型の表示部を分離して利用したときの形態を示す概観図
【図７】本発明の実施の形態３における携帯端末で、特に携帯端末と外部の映像機器とを無線接続したときの形態を示す概観図
【符号の説明】
【００３２】
１    主ユニット
２    副ユニット
３    ヒンジ
４    カメラ
５    メモリスロット
１１    操作部
１２    マイクロホン
２０    基本形態の表示部
２１    大型の表示部
２２    大型の表示部の表示ブロック
２３    アダプタブロック
２４    二次電池
２５    無線通信ブロック
２６    スピーカ
３０    外部の表示機器
【図１】
2005260533.tif 000003
【図２】
2005260533.tif 000004
【図３】
2005260533.tif 000005
【図４】
2005260533.tif 000006
【図５】
2005260533.tif 000007
【図６】
2005260533.tif 000008
【図７】
2005260533.tif 000009